(57)【特許請求の範囲】
【請求項１】
土構造物の透水係数を測定する原位置透水試験方法であって、
前記土構造物の表層の地中にいずれか一方の開口を埋設した筒体の内部にテンシオメータの先端部を前記筒体内部の地表側の地中に配置して、マリオット管から注水し、前記筒体内の水位を一定に保ちながら前記筒体の水を前記土構造物の地表から浸透させ、
埋設した前記筒体の前記開口の下端部の深さと同等又は地表側の地中の圧力水頭を前記テンシオメータにより計測し、
前記土構造物の浸透水量又は／及び前記圧力水頭の測定値を経過時間ごとにプロットして得られる近似曲線と、前記経過時間と前記浸透水量又は前記圧力水頭との変化を有限要素法浸透流解析によって求めた近似曲線とを対比して近似する前記土構造物の透水係数を求めることを特徴とする原位置透水試験方法。
【請求項２】
土構造物の透水係数を測定する原位置透水試験方法であって、
前記土構造物の表層の地中にいずれか一方の開口を埋設した筒体の内部にテンシオメータの先端部を前記筒体内部の地表側の地中に配置して、注水し、前記筒体内の水位を一定に保ちながら前記筒体の水を前記土構造物の地表から浸透させ、
埋設した前記筒体の前記開口の下端部の深さと同等又は地表側の地中の圧力水頭を前記テンシオメータにより計測し、
予め求めた圧力水頭の測定深さＺと、前記水位Ｈと、円筒管断面積Ａと、前記土構造物の浸透水量Ｑと前記圧力水頭Ｐを用いて下記の数式に基づいて、前記土構造物の透水係数ｋを求めることを特徴とする原位置透水試験方法。
0004844924.tif 000006
【発明の詳細な説明】
【技術分野】
【０００１】
本発明は、特に廃棄処分場覆土等の土構造物における鉛直遮水性を評価するために好適な原位置透水試験方法に関する。
【背景技術】
【０００２】
地中に産業廃棄物を埋設して表面を覆土した廃棄物処分場では、地表から浸透して覆土を通過する雨水が廃棄物層へ達すると汚染されて汚水となる。この汚水が地下水源に達すると地下水を汚染して周辺環境に多大な影響を及ぼすこととなる。したがって汚水はこのまま公共水域へ放流せずに浄化する必要がある。この際、雨水等の浸透水の浸透量は、前記覆土の遮水性に大きく影響する。よって遮水性を制御することにより、汚水の排出量が少なくなれば、汚水の浄化処理に伴う費用を削減することが可能となる。
【０００３】
そこで、覆土を構築する際には、土の中を水が移動する速度を表した透水係数を管理することが重要である。一般に、透水係数の測定においては、直接測定することは行なわれず、土の締固め密度から推定している。その大きな理由は、従来の透水試験法は時間と費用が掛かりすぎ、現場の日常の品質管理には適していないからである。土構造物の透水試験法としては、施工対象となる原位置で土の積層状態を崩さないようにそのままの状態を維持した試料を採取して試験室で測定する室内透水試験と、原位置で直接行う原位置透水試験とがある。
【０００４】
室内透水試験は、測定地盤から試料をブロック状に切り出し、破損に気をつけながら試験室へ運搬する。そして試験室でブロックから円柱状の試料を削り出し、その円柱状試料をひと回り大きな容器に入れ、試料と容器の間隙をセメントミルクやベントナイトで止水処理した後、室内透水試験装置にセットして実施される。
【０００５】
一方、原位置透水試験法は、図５に示すように、測定対象となる土構造物１に試験孔２を掘り、孔壁の崩壊を防ぐために試験孔２の内部に砕石３を入れる。そして、試験孔２内に注水し、試験孔２内の水と気密水槽４とを定水位保持管５及び注水管６を介して接続することによって試験孔２内の水位を一定に保ちながら試験孔２から土構造物１に浸透させることができる。気密水槽４内に配置したスケール７により試験孔２内への浸透水量を測定する。そして単位時間当たりの浸透水量が一定となるまで測定し、所定の式により透水係数を算出することができる。（例えば特許文献１、非特許文献１）
【特許文献１】特開２０００−３５２０４２号公報
【非特許文献１】「地盤調査の方法と解説」、社団法人地盤工学会、２００４年６月、ｐ４１３〜４２１
【発明の開示】
【発明が解決しようとする課題】
【０００６】
しかしながら室内透水試験法によれば、現場で試料を採取してから試験用の供試体を作製するまでに熟練技術を要する多くの工程を含むばかりでなく、試料採取から試験結果を得るまでには相当の時間と費用が必要であった。
【０００７】
一方、上記の原位置透水試験法は、素掘り孔に水を注入して水を試験孔の全周囲に浸透させて試験を行っている。透水係数の算出にあたっては測定対象である土構造物は等方性であると仮定している。しかし土構造物は転圧の影響などから水平方向と鉛直方向の透水係数は必ずしも同一ではないため、この方法によれば降雨の浸透に直接影響を及ぼす鉛直方向の透水係数を正しく評価することはできなかった。
【０００８】
また特許文献１の透水試験法によれば、測定手段となる電極を地中深く埋め込んでいるため、埋め込み作業に手間がかかるとともに、地表から電極までの距離が長く浸透時間も長くなる。
本発明は、これら従来法の問題点に鑑みてなされたもので、原位置で容易にかつ短時間で鉛直方向の透水係数を測定することを目的とする。
【課題を解決するための手段】
【０００９】
本発明に係る原位置透水試験方法は、土構造物の透水係数を測定する原位置透水試験方法であって、前記土構造物の表層の地中にいずれか一方の開口を埋設した筒体の内部にテンシオメータの先端部を前記筒体内部の地表側の地中に配置して、マリオット管から注水し、前記筒体内の水位を一定に保ちながら前記筒体の水を前記土構造物の地表から浸透させ、埋設した前記筒体の前記開口の下端部の深さと同等又は地表側の地中の圧力水頭を前記テンシオメータにより計測し、前記土構造物の浸透水量又は／及び前記圧力水頭の測定値を経過時間ごとにプロットして得られる近似曲線と、前記経過時間と前記浸透水量又は前記圧力水頭との変化を有限要素法浸透流解析によって求めた近似曲線とを対比して近似する前記土構造物の透水係数を求めることを特徴としている。
【００１０】
本発明に係る原位置透水試験方法は、土構造物の透水係数を測定する原位置透水試験方法であって、前記土構造物の表層の地中にいずれか一方の開口を埋設した筒体の内部にテンシオメータの先端部を前記筒体内部の地表側の地中に配置して、注水し、前記筒体内の水位を一定に保ちながら前記筒体の水を前記土構造物の地表から浸透させ、埋設した前記筒体の前記開口の下端部の深さと同等又は地表側の地中の圧力水頭を前記テンシオメータにより計測し、予め求めた圧力水頭の測定深さＺと、前記水位Ｈと、円筒管断面積Ａと、前記土構造物の浸透水量Ｑと前記圧力水頭Ｐを用いて下記の数式に基づいて、前記土構造物の透水係数ｋを求めることを特徴としている。
0004844924.tif 000002
【発明の効果】
【００１１】
上記構成による本願発明によれば、筒体の開口の下端部を土構造物の表層から内部に埋込んでいる。またテンシオメータの先端部は埋設した筒体の下端部の深さと同等またはそれよりも浅い地表側の地中に設置している。このため、埋設した円筒管の管壁によって土構造物の測定対象域における水平方向の浸透流を抑制して鉛直方向の浸透流に限定することができる。
【００１２】
また筒体の内側であって土構造物に配置したテンシオメータで圧力水頭を測定するとともに、円筒管の周辺に配置したマリオット管により土構造物に浸透する水の流量を測定している。このため、予め求めた解析値とこれらの測定値を対比し、透水係数を求めることができる。
【００１３】
さらに測定対象域は土構造物の表層部とし、筒体の下端部を埋設している。したがってこれまでの原位置透水試験のように浸透流が定常に達するまで長時間測定を続ける必要はなく、短時間で鉛直方向の透水係数を測定することが可能となる。
【発明を実施するための最良の形態】
【００１４】
本発明の原位置透水試験方法の実施の形態について、添付の図面を参照しながら以下詳細に説明する。図１は、本発明に係る原位置透水試験装置の構成概略を示す図である。図示のように原位置透水試験装置１０の測定対象となる土構造物１１は、例えば産業廃棄物処分場などの覆土層である。
【００１５】
土構造物１１の表面には筒体を配置している。本実施形態では筒体として円筒管１２を用いている。円筒管１２は、一対の開口のいずれか一方を土構造物１１に埋め込み、上側の開口から注水できるようにしている。そして円筒管１２の壁部１２ａは、内部に注水することによって生じる水圧に対し十分な強度と、注水した水が壁面から外部に漏れないような遮水性を具備している。また円筒管１２の下端部１２ｂは、前記土構造物１１の表面から内部に任意に設定した深さに埋め込んである。本実施形態に係る円筒体１２の下端部１２ｂの埋め込み深さは、土構造物１１の表層部、すなわち地表から数ｃｍの深さに設定している。埋め込み深さを土構造物１１の地表から数ｃｍの深さに設定することによって、原位置透水試験装置１０の設置を容易にするとともに、浸透時間を短くすることができる。なお筒体の断面形状は、実施形態の円筒形状のほかにも楕円形状、矩形形状、多角形状など測定対象を囲う隔壁を備えた構造であればこれに限定されるものではない。
【００１６】
前記円筒管１２の周辺にはマリオット管１４を設けてある。このマリオット管１４の上下の端部には複数のバルブを介して配管１８が接続している。本体の上部には一対の通気バルブ１６を設け、本体への通気、遮断を切り替え可能にしている。また本体の下部には一対の注水バルブ１７を設け、本体へ注水あるいは排水することができるように構成している。下端部の注水バルブ１７を備えた配管の一方は、注水ホース２０を界して円筒管１２の壁部１２ａの接続口と接続し、円筒管１２内に注水可能に形成している。またマリオット管１４内に設置する大気連通管２２は、マリオット管１４の本体を長手方向にスライド可能に形成し、設置位置を調整することができる。そして円筒管１２の所定の水の高さＨを設定する際、大気連通管２２の下端部を地表からＨの高さに合わせると、大気圧によって円筒管１２内部の水の高さＨに調整することができる。これにより円筒管１２内部の水の高さＨを一定に保持することができる。またマリオット管１４の外周にはスケール２４を配置し、管内部に充填した水２６が円筒体１２へ流出する水量を計測することができる。
【００１７】
円筒管１２の内部にはテンシオメータ（圧力水頭計）３０を配置してある。テンシオメータ３０の先端部のポーラスカップ３２は、円筒管１２内の土構造物１１の地中に挿入してある。またテンシオメータ３０の上端部は、計測ケーブル３４を介して円筒管１２の外部に設置した表示器３６に接続している。表示器３６はテンシオメータの測定した圧力水頭を円筒管１２の外側から表示可能に構成している。またテンシオメータ３０は、先端部のポーラスカップ３２が円筒管１２の下端部１２ｂと同等の深さ３５又はわずかに浅い位置、すなわち土構造物１１の地表側の地中になるように円筒管１２内部の土構造物１１に設置されている。これにより圧力水頭を測定するテンシオメータ３０の測定部は、円筒体１２の壁部１２ａの内側に配置されて、地表から浸透する浸透水の水平方向の流れを遮断して、鉛直方向に限定することができる。
【００１８】
次に、上記構成による原位置透水試験装置の原位置透水試験方法について説明する。まず円筒管１２の一対の開口のうちいずれか一方の開口の下端部１２ｂを土構造物１１の外表面から任意の深さ、すなわち地表から数ｃｍの深さに埋設する。そしてテンシオメータ３０の先端部のポーラスカップ３２を円筒体１２の内部の土構造物１１の地表から挿入し、埋め込んだ円筒体１２の下端部１２ｂと同等以下の浅い位置、すなわち下端部１２ｂと同等の深さ又はそれよりも土構造物１１の地表側の浅い位置に設置する。テンシオメータ３０は計測ケーブル３４を介して外部に配置した表示器３６に接続している。
【００１９】
円筒管１２の周辺に設置したマリオット管１４の注水ホース２０から円筒管１２の壁部１２ａに水を送り、注水ホース２０内の空気を管外部に追い出して管内部を水で満たした後、マリオット管１４の通気バルブ１６及び注水バルブ１７を全て閉塞する。そして土構造物内の初期の圧力水頭の測定値を表示器３６により測定し記録する。
【００２０】
ついで円筒管１２の内部へ任意に設定した高さＨまで注水して、マリオット管１４の通水バルブ１７ａを開く。円筒管１２内に注水すると地表から水が浸透し始める。マリオット管１４の大気連通管２２によって円筒管１２の水の高さＨは一定に保持されながら、マリオット管１４本体の水が円筒管１２内部に流出する。通水バルブ１７を開いてからの所定の経過時間ごと、そのときのマリオット管１４内の水位、及び圧力水頭を測定する。このときマリオット管１４内の水位は管外周に取り付けたスケールにより測定する、また圧力水頭は表示器３６によって測定値が表示される。なお、円筒管１２内の水が土構造物１１へ浸透するとそれと同量の水がマリオット管１４から円筒管１２内へ移動するので、マリオット管１４内の水位変化から土構造物への浸透水量が得られる。
【００２１】
次に、得られた圧力水頭と浸透水量の測定値に基づき透水係数ｋの算出方法について説明する。図２、図３は一例として、原位置透水試験装置の円筒管の直径が３００ｍｍ、円筒管下端の土構造物への埋設深度が５０ｍｍ、円筒管内の水位Ｈが１００ｍｍ、テンシオメータのポーラスカップが円筒管の中央部であって深さ４０ｍｍに設置したときの経過時間と、浸透水量又は圧力水頭との変化を一般的な有限要素法浸透流解析によって求めたグラフである。図２は縦軸に浸透水量（ｃｍ３／時間）、横軸に透水試験の経過時間（ｈ）をとり、Ａ：透水係数ｋ＝１×１０−３ｃｍ／ｓｅｃ、Ｂ：ｋ＝１×１０−６ｃｍ／ｓｅｃのグラフをそれぞれ示す。図３は縦軸に圧力水頭（ｃｍ）、横軸に透水試験の経過時間（ｈ）をとり、Ａ：透水係数ｋ＝１×１０−３ｃｍ／ｓｅｃ、Ｂ：ｋ＝１×１０−６ｃｍ／ｓｅｃのグラフをそれぞれ示す。
【００２２】
例えば経過時間ごと浸透水量と圧力水頭を測定し、得られた測定値を有限要素法浸透流解析による解析値に基づくグラフにプロットする。プロットした点を結んで得られた曲線から近似する透水係数の曲線を選択し、透水係数ｋを求めることができる。また有限要素法浸透流解析によってこの他にも任意の透水係数ｋを解析し、経過時間ごとの圧力水頭と浸透水量からなる測定結果を有限要素法によって求めた解析結果と測定結果とを対比することによって測定箇所の透水係数を求めることができる。なお、透水係数は浸透水量あるいは圧力水頭のいずれか一方の値よって求めるようにしてもよいが、好ましくは浸透水量と圧力水頭の両方の測定値から透水係数を求めるようにすればより正確な値を求めることができる。
【００２３】
ところで透水試験装置で測定した測定結果は、上記有限要素法浸透流解析によって求める他に、簡易式を利用して透水係数を求めることもできる。図４は透水係数を簡易に算定する算定式の説明図である。
【００２４】
図４（１）に示すように、一般に土壌中の水の流れはダルシー則（Ｑ＝ｋｉＡ）に従い、透水係数ｋは、２点間の流動差の関係を表す動水勾配ｉを用いて、次のように表すことができる。
【数１】
0004844924.tif 000003
なお
ｋ：透水係数（ｃｍ／ｓｅｃ）、Ｑ：流量（ｃｍ３／ｓｅｃ）、
ｉ：動水勾配、Ａ：土の断面積（ｃｍ２）
Δｈ：水頭差（ｃｍ）、Ｌ：土の距離（ｃｍ）
をそれぞれ示す。
【００２５】
ここで、本実施形態に係る原位置透水試験装置では、図４（２）に示すように上記Ｌ：土の距離は、Ｚ：圧力水頭の測定深さ（ｃｍ）、すなわち埋設したテンシオメータの先端部に相当する。
【００２６】
また本実施形態に係る原位置透水試験装置では、測定対象域の下部の圧力水頭をテンシオメータで測定し得られた測定値Ｐから、円筒間内に注水した水の高さＨを一定に保持しているため、測定対象域の上部の圧力水頭との水頭差Δｈを求めることができる。すなわち測定対象域の下部の圧力水頭をＰとすると、測定対象域の上部の圧力水頭は円筒管内の水の高さHと、圧力水頭の測定深さZから数２に示すように
【数２】
0004844924.tif 000004
と表すことができる。
ここで、Δｈ：水頭差、Ｚ：圧力水頭の測定深さ（ｃｍ）
Ｈ：水の高さ（ｃｍ）、Ｐ：圧力水頭（ｃｍ）
をそれぞれ示す。
【００２７】
得られた数式２を数式１に代入すると
【数３】
0004844924.tif 000005
となる。
ここで、Ｑ：円筒管内への浸透水量（ｃｍ３／ｓｅｃ）、Ａ：円筒管断面積（ｃｍ２）
をそれぞれ示す。
【００２８】
上記簡易式（数式３）によれば、予め試験装置の測定深さＺ、水の高さＨ、円筒管断面積Ａを特定しておけば、テンシオメータによる圧力水頭の測定値Ｐ及びマリオット管による浸透水量Ｑに基づいて透水係数ｋを算出することができる。また測定対象域の上下両面の圧力水頭が既知であるため、短時間で鉛直方向の透水係数を測定することができる。よってこれまでの原位置透水試験装置のように浸透流が定常に達するまで長時間測定を続ける必要がない。なお数式３は浸透流を鉛直方向のみの流れに制限して導いていたものである。
【００２９】
このような原位置透水試験装置によれば、土構造物の表層部を測定対象域とすると共に、測定対象域の地表からの浸透流を鉛直方向に制限しているので、土構造物の浸透水量の変化と圧力水頭の変化とに基づいて、短時間で容易に透水係数を測定することができる。
【図面の簡単な説明】
【００３０】
【図１】本発明の実施形態に係る原位置透水試験装置の構成概略を示す図である。
【図２】有限要素法により求めた浸透水量と経過時間の説明図である。
【図３】有限要素法により求めた圧力水頭と経過時間の説明図である。
【図４】透水係数を簡易に算定する算定式の説明図である。
【図５】従来の原位置透水試験装置の構成概略を示す図である。
【符号の説明】
【００３１】
１………土構造物、２………試験孔、３………砕石、４………気密水槽、５………定水位保持管、６………注水管、７………スケール、１０………原位置透水試験装置、１１………土構造物、１２………円筒管、１４………マリオット管、１６………通気バルブ、１７………通水バルブ、１８………配管、２０………注水ホース、２２………大気連通管、２４………スケール、２６………水、３０………テンシオメータ、３２………ポーラスカップ、３４………計測ケーブル、３６………表示器。
【図１】
0004844924.tif 000007
【図２】
0004844924.tif 000008
【図３】
0004844924.tif 000009
【図４】
0004844924.tif 000010
【図５】
0004844924.tif 000011